(57)【要約】  本発明は、小型化できる除湿用デシカント装置を提供する。除湿用デシカント装置（１０）は、空気を流すことにより空気中の水分を吸着する第１デシカント（１４）および第２デシカント（１６）を備えている。第１デシカント（１４）に第１微小除湿剤が含まれている。第２デシカント（１６）に第２微小除湿剤が含まれている。第１微小除湿剤、第２微小除湿剤は、空気中に含まれている水分に応じて、水分の吸着性が異なるように選択されている。
2018151236.tif 000002
【特許請求の範囲】
【請求項１】
空気を流すことにより空気中の水分を吸着するデシカントを含む除湿用デシカント装置であって、
前記デシカントは、少なくとも第１デシカント、第２デシカントを備え、
前記第１デシカントに含まれる除湿剤と、前記第２デシカントに含まれる除湿剤との水分の吸着性を空気中の相対湿度に応じて異ならせる、
除湿用デシカント装置。
【請求項２】
前記第１デシカントに含まれる除湿剤は、前記第２デシカントに含まれる除湿剤と比べて、相対湿度が高い領域において水分の吸着量が大きく、
前記第２デシカントに含まれる除湿剤は、前記第１デシカントに含まれる除湿剤と比べて、前記相対湿度が高い領域より相対湿度が低い領域において水分の吸着量が大きく、
前記第１デシカントが前記第２デシカントより前記空気が流れる方向の上流側に配置されている、
請求項１に記載の除湿用デシカント装置。
【請求項３】
前記第１デシカントに含まれる除湿剤と、前記第２デシカントに含まれる除湿剤は、多孔質の除湿剤であり、
前記第１デシカントに含まれる多孔質の除湿剤の細孔直径は、
前記第２デシカントに含まれる多孔質の除湿剤の細孔直径より大きい、
請求項１または２に記載の除湿用デシカント装置。
【請求項４】
前記第１デシカントおよび前記第２デシカントはそれぞれ、
前記除湿剤が保持され、かつ、渦巻状に間隔をおいて巻かれたシートと、
前記シートの間隔を確保するスペーサと、を備える、
請求項１〜３のいずれか一項に記載の除湿用デシカント装置。
【請求項５】
前記スペーサは除湿剤を兼ねる、
請求項４に記載の除湿用デシカント装置。
【請求項６】
前記シートは不織布である、
請求項４または５に記載の除湿用デシカント装置。
【請求項７】
前記シートは粘着性シートである、
請求項４または５に記載の除湿用デシカント装置。
【請求項８】
前記除湿剤が、前記不織布の内部に含まれる、
請求項６に記載の除湿用デシカント装置。
【請求項９】
前記除湿剤が、前記粘着性シートに付着される、
請求項７に記載の除湿用デシカント装置。
【発明の詳細な説明】
【技術分野】
【０００１】
本発明は、除湿用デシカント装置に関する。
【背景技術】
【０００２】
除湿用デシカント装置は、水分吸着剤で低湿度の空気を作り出す空調機器である。除湿用デシカント装置で低湿度の空気を室内等に供給することにより、室内等の温度をそれほど下げなくても快適性を得ることができる。除湿用デシカント装置は、給気用ファン、デシカント部、冷却部、加熱部、再生用ファン等を備えている。
給気用ファンで室外から導入した空気をデシカント部に流すことにより、デシカント部で空気中の水分を吸着する。デシカント部を流れた空気がデシカント部で除湿される。除湿された空気を冷却部で冷却し、室内に流すことにより室内の快適性が得られる。【０００３】
一方、デシカント部に吸着された水分を除去して再生する際には、加熱部で乾燥させた空気をデシカント部に流す。乾燥空気を流すことにより、デシカント部に吸着されている水分を乾燥空気に含ませて、デシカント部から除去する。デシカント部から水分が除去されることによりデシカント部が再生される。水分を含んだ空気は再生用ファンで室外へ排気される（特許文献１）。
しかし、デシカント部で水分を充分に吸着するためには、デシカント部の形状を大きく確保する必要があり、この観点から改良の余地が残されている。
【先行技術文献】
【特許文献】
【０００４】
【特許文献１】日本国特開２００９−２４０９３５号公報
【発明の概要】
【発明が解決しようとする課題】
【０００５】
本発明は、小型化できる除湿用デシカント装置を提供する。
【課題を解決するための手段】
【０００６】
本発明は以下の構成を有する。
［１］空気を流すことにより空気中の水分を吸着するデシカントを含む除湿用デシカント装置であって、前記デシカントは、少なくとも第１デシカント、第２デシカントを備え、前記第１デシカントに含まれる除湿剤と、前記第２デシカントに含まれる除湿剤との水分の吸着性を空気中の相対湿度に応じて異ならせる、除湿用デシカント装置。［２］前記第１デシカントに含まれる除湿剤は、前記第２デシカントに含まれる除湿剤と比べて、相対湿度が高い領域において水分の吸着量が大きく、前記第２デシカントに含まれる除湿剤は、前記第１デシカントに含まれる除湿剤と比べて、前記相対湿度が高い領域より相対湿度が低い領域において水分の吸着量が大きく、前記第１デシカントが前記第２デシカントより前記空気が流れる方向の上流側に配置されている、[１]に記載の除湿用デシカント装置。［３］前記第１デシカントに含まれる除湿剤と、前記第２デシカントに含まれる除湿剤は、多孔質の除湿剤であり、前記第１デシカントに含まれる多孔質の除湿剤の細孔直径は、前記第２デシカントに含まれる多孔質の除湿剤の細孔直径より大きい、[１]または[２]に記載の除湿用デシカント装置。［４］前記第１デシカントおよび前記第２デシカントはそれぞれ、前記除湿剤が保持され、かつ、渦巻状に間隔をおいて巻かれたシートと、前記シートの間隔を確保するスペーサと、を備える、[１]〜[３]のいずれか一項に記載の除湿用デシカント装置。［５］前記スペーサは除湿剤を兼ねる、[４]に記載の除湿用デシカント装置。［６］前記シートは不織布である、[４]または[５]に記載の除湿用デシカント装置。［７］前記シートは粘着性シートである、[４]または[５]に記載の除湿用デシカント装置。［８］前記除湿剤が、前記不織布の内部に含まれる、[６]に記載の除湿用デシカント装置。［９］前記除湿剤が、前記粘着性シートに付着される、[７]に記載の除湿用デシカント装置。
【発明の効果】
【０００７】
本発明の除湿用デシカント装置によれば、第１デシカントに含まれる除湿剤と、第２デシカントに含まれる除湿剤との水分の吸着性を、空気中の相対湿度に応じて異ならせた。よって、高相対湿度の空気に対して吸着性が優れている除湿剤（たとえば、第１デシカント）を上流側に配置できる。また、相対湿度がある程度低い空気に対して吸着性が優れている除湿剤（たとえば、第２デシカント）を下流側に配置できる。
すなわち、高相対湿度の空気に含まれている水分を第１デシカントで効率よく吸着できる。さらに、相対湿度がある程度低い空気に含まれている水分を第２デシカントで効率よく吸着できる。これにより、空気に含まれている水分を除湿用デシカント装置で効率よく吸着でき、除湿用デシカント装置を小型化できる。
【図面の簡単な説明】
【０００８】
【図１】図１は、本発明の実施形態の除湿用デシカント装置を示す断面図である。
【図２】図２は、図１の除湿用デシカント装置における第１デシカントを示す正面図である。
【図３】図３は、本発明の除湿用デシカント装置における図２のＩＩＩ−ＩＩＩに沿う断面図である。
【図４】図４は、図２の第１デシカントの第１シートを巻回する状態を説明する斜視図である。
【図５】図５（ａ）は第１デシカントの第１微小除湿剤を示す平面図、図５（ｂ）は第２デシカントの第２微小除湿剤を示す平面図、図５（ｃ）は第３デシカントの第３微小除湿剤を示す平面図である。
【図６】図５（ａ）〜５（ｃ）の第１〜第３の微小除湿剤の細孔直径の大きさを度数分布で示すグラフである。
【図７】図５（ａ）〜５（ｃ）の第１〜第３の微小除湿剤の水分の吸着量と空気中の相対湿度との関係を示すグラフである。
【図８】図８（ａ）および８（ｂ）は、本発明の除湿用デシカント装置を一体型の空調装置に後付した状態を説明する概略図である。
【図９】図９（ａ）および９（ｂ）は、本発明の除湿用デシカント装置を分割型の空調装置に後付した状態を説明する概略図である。
【発明を実施するための形態】
【０００９】
つぎに、本発明の実施形態を図面に基づいて説明する。
なお、図１においては、除湿用デシカント装置１０の構成の理解を容易にするために、第１微小除湿剤（除湿剤）２４、第２微小除湿剤（除湿剤）３２および第３微小除湿剤（除湿剤）３５を省略して示す。
図１に示すように、除湿用デシカント装置１０は、空気を流す流路１２の内部１３に設けられている。除湿用デシカント装置１０は、流路１２の内部１３に収容された第１デシカント１４、第２デシカント１６、第３デシカント１８を備えている。
以下、流路１２において、第１デシカント１４が配置されている側を上流側、第３デシカント１８が配置されている側を下流側として説明する。
【００１０】
流路１２は、たとえば、断面円形に形成されている。流路１２は、第１デシカント１４の上流側から第１デシカント１４に向けて高相対湿度の空気を矢印Ａの如く流すことができる。第１デシカント１４、第２デシカント１６、および第３デシカント１８を通過した乾燥空気を矢印Ｂの如く流路１２の下流側に流すことができる。
また、第３デシカント１８の下流側から第３デシカント１８に向けて低相対湿度の空気を矢印Ｃの如く流すことができる。第３デシカント１８、第２デシカント１６および第１デシカント１４を通過した高相対湿度の空気を矢印Ｄの如く流路１２の上流側に流すことができる。
【００１１】
図２、図３に示すように、第１デシカント１４は、渦巻状に巻回（巻きめぐら）された第１シート２１と、第１シート２１に多量の個数が含まれる第１微小除湿剤２４と、第１シート２１間の間隔Ｓ１を確保する除湿剤２５とを備えている。
第１シート２１間の間隔Ｓ１を除湿剤２５で確保することにより、間隔Ｓ１で空気の流路を確保できる。すなわち、除湿剤２５は、第１シート２１間の間隔Ｓ１を確保するスペーサとしての役割と、補助的な除湿剤としての役割を兼ねる。以下、補助的な除湿剤２５を、第１スペーサ除湿剤２５という。
【００１２】
第１シート２１は、例えば、幅寸法Ｔ１（図４参照）に形成され、第１微小除湿剤２４を含んだ帯状の不織布である。第１微小除湿剤２４は、第１スペーサ除湿剤２５と比較して微小な除湿剤である。第１シート２１の内部２２に複数の第１微小除湿剤２４が含まれており、第１スペーサ除湿剤２５が第１シート２１の間に間隔をおいて配置されている。
第１微小除湿剤２４と第１スペーサ除湿剤２５とは、たとえば、水分（水蒸気）の吸着性に優れたシリカゲル等の素材で形成されている。第１シート２１の不織布繊維の内部２２に複数の第１微小除湿剤２４が配置されることにより、不織布繊維の間を通って到着した水分は第１微小除湿剤２４に吸着される。これにより、第１デシカント１４の水分の吸着性を高めることができる。
【００１３】
また、第１スペーサ除湿剤２５が配置されることにより、第１シート２１が渦巻状に巻回された状態において、第１シート２１間の間隔Ｓ１が第１スペーサ除湿剤２５で確保されている。第１スペーサ除湿剤２５がスペーサの役割も兼ねることにより、スペーサを個別に備える必要がなく、構成の簡素化が図れる。
【００１４】
このように、第１シート２１の間に複数の第１スペーサ除湿剤２５を配置することにより、第１シート２１間に空間Ｓ１を簡単な構成で確実に確保できる。
また、第１スペーサ除湿剤２５は、たとえば、水分の吸着性に優れたシリカゲル等の素材で形成されている。水分の吸着性に優れた素材を第１スペーサ除湿剤２５に使用することにより、第１微小除湿剤２４による空気中の水分の吸着性に加え、その性能を一層高めることができる。
【００１５】
第１微小除湿剤２４および第１スペーサ除湿剤２５は、実施形態では、外径が異なる球状に形成され、表面、内部に多数の細孔２６（図５（ａ）も参照）が形成されている。第１微小除湿剤２４および第１スペーサ除湿剤２５に多数の細孔２６が形成されることにより、第１微小除湿剤２４および第１スペーサ除湿剤２５の表面積を大きく確保し、水分の吸着性を高めることができる。
第１微小除湿剤２４および第１スペーサ除湿剤２５は球状に限らず、異形、粉末も使用できる。
第１スペーサ除湿剤２５の細孔は、第１微小除湿剤２４の細孔２６に対して、同一サイズであることが好ましいが、細孔径サイズが異なるものでも水分の吸着を補強するものとして使用できる。
【００１６】
図３、図４に示すように、第１シート２１（すなわち、不織布）の内部には複数の第１微小除湿剤２４が複数担持される。さらに、第１シート２１の間に複数の第１スペーサ除湿剤２５が含まれる。第１シート２１を不織布で形成することにより、第１シート２１の内部２２に複数の第１微小除湿剤２４を安定させた状態で保持できる。
複数の第１微小除湿剤２４が含まれる第１シート２１が一端部２１ａを中心にして渦巻き状に巻回される。第１シート２１を渦巻き状に巻回するだけの簡単な構成で第１デシカント１４を容易に形成できる。
また、第１デシカント１４は、第１シート２１を渦巻状に巻回することにより、外形が正面視円形状に形成される。よって、第１デシカント１４を、断面円形の流路１２に容易に配置できる。
【００１７】
図１に戻って、第２デシカント１６は、第１デシカント１４と同様に、第２シート３１と、第２微小除湿剤３２（図５（ｂ）参照）と、第２スペーサ除湿剤３７とを備えている。
第２シート３１は、第１シート２１（図２も参照）と同様に、渦巻状に巻回されている。第２微小除湿剤３２は、第１微小除湿剤２４（図５（ａ）参照）と同様に、第２シート３１の内部に含まれている。第２スペーサ除湿剤３７は、第１スペーサ除湿剤２５と同様に、第２シート３１間に配置されている。
第２スペーサ除湿剤３７の細孔は、第２微小除湿剤３２の細孔３３に対して、同一サイズであることが好ましいが、細孔径サイズが異なるものでも水分の吸着を補強するものとして使用できる。
【００１８】
第３デシカント１８は、第１デシカント１４と同様に、第３シート３４と、第３微小除湿剤３５（図５（ｃ）参照）と、第３スペーサ除湿剤３８とを備えている。
第３シート３４は、第１シート２１（図２も参照）と同様に、渦巻状に巻回されている。第３微小除湿剤３５は、第１微小除湿剤２４（図５（ａ）参照）と同様に、第３シート３４の内部に含まれている。第３スペーサ除湿剤３８は、第１スペーサ除湿剤２５と同様に、第３シート３４間に配置されている。
第３スペーサ除湿剤３８の細孔は、第３微小除湿剤３５の細孔３６に対して、同一サイズであることが好ましいが、細孔径サイズが異なるものでも水分の吸着を補強するものとして使用できる。
第２デシカント１６、第３デシカント１８は、第１デシカント１４と同様の構成であり、詳しい説明を省略する。
【００１９】
実施形態では、第１シート２１、第２シート３１、第３シート３４を不織布で形成した例について説明するが、これに限らない。たとえば、第１シート２１、第２シート３１、第３シート３４を粘着性シートとすることもできる。
粘着性シートとは、シートの表面に接着剤が塗布されたシートである。粘着性シートの接着剤に複数の微小除湿剤が付着され、かつ、複数のスペーサ除湿剤が付着される。この状態で、粘着性シートを渦巻状に巻回することにより、除湿性能を有し、空気の流路を確保することで圧力損失の少ない第１デシカント、第２デシカント、第３デシカントが形成される。
第１シート２１、第２シート３１、第３シート３４を粘着性シートとすることにより、シートに複数の微小除湿剤、複数のスペーサ除湿剤を安定させた状態で保持できる。
【００２０】
図５（ａ）に示すように、第１微小除湿剤２４は、一例として、球状に形成され、表面、内部に多数の細孔２６が形成された多孔質の素材である。第１微小除湿剤２４の素材として、シリカゲル、ゼオライト、高分子吸湿剤、多孔質チタニアなどが挙げられる。
第１微小除湿剤２４は、細孔２６が直径Ｄ１に形成されている。以下、細孔２６の直径Ｄ１を「第１細孔直径Ｄ１」という。
【００２１】
図５（ｂ）に示すように、第２微小除湿剤３２は、一例として、球状に形成され、表面、内部に多数の細孔３３が形成された多孔質の素材である。第２微小除湿剤３２は、第１微小除湿剤２４と同様の素材で形成されている。第２微小除湿剤３２は、細孔３３が直径Ｄ２に形成されている。以下、細孔３３の直径Ｄ２を「第２細孔直径Ｄ２」という。
【００２２】
図５（ｃ）に示すように、第３微小除湿剤３５は、一例として、球状に形成され、表面、内部に多数の細孔３６が形成された多孔質の素材である。第３微小除湿剤３５は、第１微小除湿剤２４と同様の素材で形成されている。第３微小除湿剤３５は、細孔３６が直径Ｄ３に形成されている。以下、細孔３６の直径Ｄ３を「第３細孔直径Ｄ３」という。
【００２３】
図５（ａ）〜図５（ｃ）に示すように、第１微小除湿剤２４の第１細孔直径Ｄ１は、第２微小除湿剤３２の第２細孔直径Ｄ２より大きく形成されている。第２微小除湿剤３２の第２細孔直径Ｄ２は、第３微小除湿剤３５の第３細孔直径Ｄ３より大きく形成されている。
【００２４】
図５（ａ）〜５（ｃ）、図６において、第１微小除湿剤２４、第２微小除湿剤３２、第３微小除湿剤３５について説明する。図６に示すグラフは、縦軸に度数分布を示し、横軸に第１〜第３の除湿剤２４，３２，３５の各細孔直径Ｄ１，Ｄ２，Ｄ３を示す。破線で示すグラフＧ１は、第１デシカント１４に含まれる第１微小除湿剤２４の度数分布を示す。実線で示すグラフＧ２は、第２デシカント１６に含まれる第２微小除湿剤３２の度数分布を示す。一点鎖線で示すグラフＧ３は、第３デシカント１８に含まれる第３微小除湿剤３５の度数分布を示す。
【００２５】
第１細孔直径Ｄ１の細孔２６を有する第１微小除湿剤２４は、第１デシカント１４に含まれている。第２細孔直径Ｄ２が第１細孔直径Ｄ１より小さい細孔３３を有する第２微小除湿剤３２は、第２デシカント１６に含まれている。第３細孔直径Ｄ３が第２細孔直径Ｄ２より小さい細孔３６を有する第３微小除湿剤３５は、第３デシカント１８に含まれている。なお、本発明ではデシカントの数は、２又は３に限られず、必要に応じて４（第１〜第４デシカント）以上でもいい。
【００２６】
図５（ａ）〜５（ｃ）、図７において、第１微小除湿剤２４、第２微小除湿剤３２、第３微小除湿剤３５における水分の吸着量について説明する。図７に示すグラフは、縦軸に除湿剤の水分吸着量を示し、横軸に相対湿度をとった、除湿剤の吸着水分量の相対湿度依存特性を示す。破線で示すグラフＧ４は、第１デシカント１４に含まれる第１微小除湿剤２４の水分の吸着量と相対湿度との関係を示す。実線で示すグラフＧ５は、第２デシカント１６に含まれる第２微小除湿剤３２の水分の吸着量と相対湿度との関係を示す。一点鎖線で示すグラフＧ６は、第３デシカント１８に含まれる第３微小除湿剤３５の水分の吸着量と相対湿度との関係を示す。
【００２７】
グラフＧ４で示すように、第１微小除湿剤２４は相対湿度が高い領域Ｅ１において水分の吸着量が大きい。グラフＧ５で示すように、第２微小除湿剤３２は相対湿度が中程度の領域Ｅ２において水分の吸着量が大きい。グラフＧ６で示すように、第３微小除湿剤３５は、相対湿度が低い領域Ｅ３においても吸着性能を示すが、水分の吸着量は比較的少なく、相対湿度が高い領域においても水分の吸着量は大きくならない。ここで相対湿度が高い領域Ｅ１とは、グラフＧ４とグラフＧ５の交点における相対湿度よりも相対湿度が高い領域である。相対湿度が低い領域Ｅ３とは、グラフＧ５とグラフＧ６との交点における相対湿度よりも相対湿度が低い領域であり、相対湿度が中程度の領域Ｅ２は、Ｅ１とＥ３との間の領域である。
【００２８】
よって、相対湿度が高い領域Ｅ１において、空気中の水分を第１微小除湿剤２４で吸着することにより、空気中の水分を効率よく吸着できる。また、相対湿度が中程度の領域Ｅ２において、空気中の水分を第２微小除湿剤３２で吸着することにより、空気中の水分を効率よく吸着できる。さらに、相対湿度が低い領域Ｅ３において、空気中の水分を第３微小除湿剤３５で吸着することにより、空気中の水分を効率よく吸着できる。
【００２９】
図１に戻って、流路１２の内部１３において、第１デシカント１４は第２デシカント１６の上流側に隣接して配置されている。第２デシカント１６は第３デシカント１８の上流側に隣接して配置されている。
よって、流路１２の上流側から相対湿度が高い空気を矢印Ａの如く流すことにより、第１デシカント１４の第１微小除湿剤２４で空気中の水分を効率よく吸着できる。
【００３０】
第１デシカント１４の第１微小除湿剤２４で空気中の水分が吸着されることにより、第１デシカント１４から流出した空気は、相対湿度が中程度に抑えられている。中程度の相対湿度の空気を第１デシカント１４から第２デシカント１６に流す。よって、第２デシカント１６の第２微小除湿剤３２で空気中の水分を効率よく吸着できる。
【００３１】
第２デシカント１６の第２微小除湿剤３２で空気中の水分が吸着されることにより、第２デシカント１６から流出した空気は、相対湿度がある程度低く抑えられている。低く抑えられた相対湿度の空気を第２デシカント１６から第３デシカント１８に流す。よって、第３デシカント１８の第３微小除湿剤３５で空気中の水分を効率よく吸着できる。
これにより、第３デシカント１８から矢印Ｂの如く流出した空気を乾燥空気とすることができる。
【００３２】
一方、第１微小除湿剤２４、第２微小除湿剤３２、第３微小除湿剤３５に吸着した水分を除去する場合には、流路１２の下流側から再生用の低相対湿度の空気（乾燥空気）を矢印Ｃの如く流す。低相対湿度の空気を第３デシカント１８に流すことにより、第３微小除湿剤３５に吸着した水分を空気中に効率よく含ませることができる。すなわち、第３微小除湿剤３５に吸着した水分を効率よく除去できる。
【００３３】
第３デシカント１８から流出した空気は、相対湿度がある程度高められている。相対湿度がある程度高められた空気を第２デシカント１６に流すことにより、第２微小除湿剤３２に吸着した水分を空気中に効率よく含ませることができる。すなわち、第２微小除湿剤３２に吸着した水分を効率よく除去できる。
【００３４】
第２デシカント１６から流出した空気は、相対湿度が中程度に高められている。相対湿度が中程度に高められた空気を第１デシカント１４に流すことにより、第１微小除湿剤２４に吸着した水分を空気中に効率よく含ませることができる。すなわち、第１微小除湿剤２４に吸着した水分を効率よく除去できる。
第１デシカント１４から流出した相対湿度が高い空気は矢印Ｄの如く上流側に流れる。
これにより、第１微小除湿剤２４、第２微小除湿剤３２、第３微小除湿剤３５に吸着した水分を除去でき、第１微小除湿剤２４、第２微小除湿剤３２、第３微小除湿剤３５を再使用状態に再生できる。
【００３５】
このように、第１デシカント１４、第２デシカント１６、第３デシカント１８を上流側から下流側へ向けて順に配置することにより、相対湿度が高い領域から相対湿度が低い領域までの全領域において空気中の水分を効率よく吸着できる。すなわち、第１デシカント１４、第２デシカント１６、第３デシカント１８に含まれる各微小除湿剤２４，３２，３５の水分の吸着性を空気中の相対湿度に応じて異ならせることができる。
これにより、多孔質直径が同じ除湿剤を使用した除湿用デシカント装置と比べて、除湿用デシカント装置１０を小型にできる。
【００３６】
つぎに、図８（ａ）および８（ｂ）、図９（ａ）および９（ｂ）において、除湿用デシカント装置１０の使用例を説明する。
図８（ａ）に示すように、一体型の空調装置５０で工場５２の内部５３を除湿するためには、内部５３の相対湿度の高い空気を工場５２の外部５４に排出し、外部５４から空気を矢印Ｅの如く取り入れる。
空調装置５０で外部５４から取り入れる空気中から水分を好適に除去するためには、空調装置５０の電気消費量が嵩む。
【００３７】
図８（ｂ）に示すように、一体型の空調装置５０の上部５１に除湿用デシカント装置１０を後付することにより、除湿用デシカント装置１０に外部５４の空気を導く。よって、導いた空気中の水分を除湿用デシカント装置１０に吸着させて、空気中から水分を除去できる。これにより、相対湿度の低い乾燥空気を除湿用デシカント装置１０から空調装置５０の配管５６を経て工場５２の内部５３に送風できる。したがって、工場５２の内部５３の除湿を良好におこなうことができる。
このように、空調装置５０に除湿用デシカント装置１０を後付することにより、電気消費量を抑えた状態で除湿機能を高めることができる。
【００３８】
図９（ａ）に示すように、空調装置６０は、室外機６１と室内機６２とに分割されている。分割型の空調装置６０でも、一体型の空調装置５０と同様に、空調装置６０で外部５４から空気を矢印Ｆの如く取り入れる。
空調装置６０で外部５４から取り入れる空気から水分を好適に除去するためには、空調装置６０の電気消費量が嵩む。
【００３９】
図９（ｂ）に示すように、空調装置６０を室外機６１と室内機６２とに分割することにより、室外機６１、室内機６２は一体型の空調装置５０と比べて小さくなる。除湿用デシカント装置１０は小型に抑えられているので、たとえば、室内機６２の上部６３に除湿用デシカント装置１０を後付する領域を確保できる。これにより、除湿用デシカント装置１０の用途を広げることができる。
【００４０】
分割型の空調装置６０の上部６３に除湿用デシカント装置１０を後付することにより、相対湿度の低い乾燥空気を除湿用デシカント装置１０から空調装置６０の配管６５を経て工場５２の内部５３に送風できる。これにより、空調装置６０に除湿用デシカント装置１０を後付するだけで一体型の空調装置５０と同様に、電気消費量を抑えた状態で除湿機能を高めることができる。
【００４１】
なお、本発明の技術範囲は上述した実施形態に限定されるものではなく、本発明の趣旨を逸脱しない範囲において種々の変更を加えることができる。
前記実施形態では、除湿用デシカント装置１０として、第１デシカント１４、第２デシカント１６、第３デシカント１８を備えた例について説明したが、これに限定しない。その他の例として、第１デシカント１４、第２デシカント１６のみを備えることもできる。また、除湿用デシカント装置１０として３個以上のデシカントを備えることもできる。
【００４２】
さらに、前記実施形態では、第１〜第３のデシカント１４，１６，１８の各シート２１，３１，３４を渦巻き状に巻回することにより正面視円形に形成した例について説明したが、これに限定しない。その他の例として、第１〜第３のデシカントをキューブ状（立方体状）に形成することもできる。
この場合、たとえば、平坦なメッシュ（網目）間に除湿剤を挟み、平坦なメッシュを上下方向に空気が流れる間隔を空けて積層することによりデシカントが形成される。
【００４３】
さらに、前記実施形態では、除湿用デシカント装置１０を流路１２の内部１３に固定させる例について説明したが、これに限定しない。その他の例として、除湿用デシカント装置１０を流路１２の内部１３に回転可能に設けることもできる。
【００４４】
また、前記実施形態では、第１〜第３のデシカント１４，１６，１８の各シート２１，３１，３４の内部に各微小除湿剤２４，３２，３５を保持する例について説明したが、これに限定しない。その他の例として、ケース内に除湿剤を移動自在に収容し、ケースに流路を連通させるように構成することもできる。ケース内に流路から空気を流すことにより、ケース内の除湿剤を空気で流動させ、ケース内の除湿剤に均等に空気を接触させることにより、空気中の水分を除湿剤で吸着できる。
【００４５】
さらに、前記実施形態では、第１〜第３のスペーサ除湿剤２５，３７，３８がスペーサと除湿剤とを兼ねる例について説明したが、これに限定しない。その他の例として、第１〜第３のスペーサ除湿剤２５，３７，３８をスペーサのみの部材に代えることも可能である。これにより、例えば、第１〜第３のデシカント１４，１６，１８の設計の自由度を高めることができる。
【００４６】
本発明を詳細にまた特定の実施態様を参照して説明したが、本発明の精神と範囲を逸脱することなく様々な変更や修正を加えることができることは、当業者にとって明らかである。
本出願は、２０１７年２月２０日出願の日本特許出願２０１７−０２９０２０に基づくものであり、その内容はここに参照として取り込まれる。
【符号の説明】
【００４７】
１０……除湿用デシカント装置
１４……第１デシカント
１６……第２デシカント
１８……第３デシカント
２１……第１シート
２３……第１スペーサ
２４……第１微小除湿剤（除湿剤）
２５……第１スペーサ除湿剤（スペーサ）
２６，３３，３６……細孔
３１……第２シート
３２……第２微小除湿剤（除湿剤）
３４……第３シート
３５……第３微小除湿剤（除湿剤）
３７……第２スペーサ除湿剤（スペーサ）
３８……第３スペーサ除湿剤（スペーサ）
Ｄ１〜Ｄ３…第１〜第３の細孔直径
【図１】
2018151236.tif 000003
【図２】
2018151236.tif 000004
【図３】
2018151236.tif 000005
【図４】
2018151236.tif 000006
【図５】
2018151236.tif 000007
【図６】
2018151236.tif 000008
【図７】
2018151236.tif 000009
【図８】
2018151236.tif 000010
【図９】
2018151236.tif 000011
【国際調査報告】
2018151236.tif 000012
2018151236.tif 000013
2018151236.tif 000014
2018151236.tif 000015